(57)【要約】【課題】適切な大きさの据付設置スペースを確保することを可能にする空気調和機用の室外ユニットを提供することを目的とする。【解決手段】本出願は、可燃性冷媒を用いる室外ユニット（１００）を開示する。室外ユニットは、天板（２４０）と、前記天板の下方に配置された底板（２５０）と、前記天板と前記底板との間で立設された外周板（２１０）と、を含み、箱形に形成されたケーシングと、前記ケーシングの外周方向に突出する少なくとも３つの突出体（３１０，３２０，３３０，３４０）と、を備える。前記少なくとも３つの突出体は、前記外周板の少なくとも３面（２１１，２１２，２１３，２１４）から突出する【選択図】図１
2016191518.tif 000002
【特許請求の範囲】
【請求項１】
可燃性冷媒を用いる空気調和機用の室外ユニット（１００）であって、
天板（２４０）と、前記天板の下方に配置された底板（２５０）と、前記天板と前記底板との間で立設された外周板（２１０）と、を含み、箱形に形成されたケーシングと、
前記ケーシングの外周方向に突出する少なくとも３つの突出体（３１０，３２０，３３０，３４０）と、を備え、
前記少なくとも３つの突出体は、前記外周板の少なくとも３面（２１１，２１２，２１３，２１４）から突出する
室外ユニット。
【請求項２】
前記突出体は、少なくとも１つ以上、前記外周板から取り外し可能である
請求項１に記載の室外ユニット。
【請求項３】
前記突出体のうち少なくとも１つは、前記ケーシングの高さ方向の中心位置より下方で前記ケーシングから突出する
請求項１又は２に記載の室外ユニット。
【発明の詳細な説明】
【技術分野】
【０００１】
本発明は、適切な大きさの据付設置スペースを確保することを可能にする空気調和機用の室外ユニットに関する。
【背景技術】
【０００２】
特許文献１は、空気調和機用の室外ユニットを据え付けるための技術を開示する。従来は、特許文献１のように、積雪地帯においては、雪に室外ユニットが埋まってしまわないように、高台に室外ユニットを設置することで、強制的に足場を浮かすような手段が施されてきた。この高台設置によって、積雪地帯においても空気調和機の室外ユニットが雪に埋まってしまうことがなく運転可能になっていた。加えて、特許文献１の高台設置は、室外ユニットを狭い空間に据付可能にする。
【先行技術文献】
【特許文献】
【０００３】
【特許文献１】特開平５−１５７２９２号公報
【発明の概要】
【発明が解決しようとする課題】
【０００４】
冷媒が、狭い空間に据え付けられた室外ユニットから漏れ出すならば、冷媒は、狭い空間内で、高濃度で滞留しやすい。特に半地下等といったような据付環境においては、空気調和機に、可燃性の冷媒を用いて、万が一、冷媒が漏れてしまった場合、冷媒が滞留し、漏洩密度が高濃度となり、何らかの着火源によって引火する畏れがある。据付スペースについては、据付説明書において規定されているが、もし、据付説明書の規定が守られなかった場合には、狭い設置スペースに室外ユニットが据え付けられる畏れがある。そのような環境で万が一、冷媒が漏れてしまった場合、冷媒漏洩濃度がさらに高くなる可能性がある。
【０００５】
本発明は、適切な大きさの据付設置スペースを確保することを可能にする空気調和機用の室外ユニットを提供することを目的とする。
【課題を解決するための手段】
【０００６】
本発明の一局面に係る可燃性冷媒を用いる空気調和機用の室外ユニットは、天板と、前記天板の下方に配置された底板と、前記天板と前記底板との間で立設された外周板と、を含み、箱形に形成されたケーシングと、前記ケーシングの外周方向に突出する少なくとも３つの突出体と、を備える。前記少なくとも３つの突出体は、前記外周板の少なくとも３面から突出する。
【０００７】
上記構成によれば、少なくとも３つの突出体は、外周板の少なくとも３面から突出するので、突出体が突出する３以上の方向において、広い設置スペースが確保される。したがって、可燃性の冷媒が、万が一、室外ユニットから漏洩しても、可燃性冷媒の漏洩密度は、高濃度になりにくい。
【０００８】
上記構成において、前記突出体は、少なくとも１つ以上、前記外周板から取り外し可能であってもよい。
【０００９】
上記構成によれば、突出体は、少なくとも１つ以上、外周板から取り外し可能であるので、室外ユニットは、室外ユニットが据え付けられる据付現場へ容易に搬送される。
【００１０】
上記構成において、前記突出体のうち少なくとも１つは、前記ケーシングの高さ方向の中心位置より下方で前記ケーシングから突出してもよい。
【００１１】
上記構成によれば、突出体のうち少なくとも１つは、ケーシングの高さ方向の中心位置より下方でケーシングから突出するので、可燃性冷媒が滞留しやすい空間領域において、適切な大きさの据付スペースが確保される。
【発明の効果】
【００１２】
上述の空気調和機用の室外ユニットは、適切な大きさの据付設置スペース内に配置されることができる。
【図面の簡単な説明】
【００１３】
【図１】第１実施形態の空気調和機用の室外ユニットの概念的な平面図である。
【図２】第２実施形態の空気調和機用の室外ユニットの概念的な平面図である。
【図３Ａ】第３実施形態の空気調和機用の室外ユニットの概略的な斜視図である。
【図３Ｂ】図３Ａに示される室外ユニットの他のもう１つの概略的な斜視図である。
【図４】図３Ａに示される室外ユニットの右突出枠の接続構造の概略的な斜視図である。
【図５】図３Ａに示される室外ユニットの前方延長脚の接続構造の概略的な斜視図である。
【図６】図３Ａに示される室外ユニットの概略的な斜視図である。
【図７Ａ】第４実施形態の空気調和機用の室外ユニットの概略的な斜視図である。
【図７Ｂ】図７Ａに示される室外ユニットの他のもう１つの概略的な斜視図である。
【発明を実施するための形態】
【００１４】
添付の図面を参照して、空気調和機用の室外ユニットの様々な実施形態が説明される。「前」、「後」、「左」、「右」、「上」及び「下」といった方向を表す用語は、説明の明瞭化のみを目的とし、以下の実施形態の原理を限定しない。
【００１５】
＜第１実施形態＞
図１は、第１実施形態の空気調和機用の室外ユニット１００の概念的な平面図である。図１を参照して室外ユニット１００が説明される。
【００１６】
室外ユニット１００を含む空気調和機は、可燃性冷媒（たとえば、Ｒ３２、ＨＦＯ−１２３４ｙｆ、ＨＦＯ−１２３４ｚｅ、Ｒ２９０、Ｒ１２７０、Ｒ７１７）を用いて、熱交換を行う。可燃性冷媒が、万が一、室外ユニット１００から漏洩し、狭い空間で高濃度で滞留するならば、何らかの着火源によって着火する畏れがある。したがって、室外ユニット１００は、過度に狭い空間に設置されないように設計される。
【００１７】
図１は、右方壁ＲＷＬと左方壁ＬＷＬと後方壁ＢＷＬとによって囲まれた設置スペースＳＰＣを概略的に示す。室外ユニット１００は、設置スペースＳＰＣ内で据え付けられている。設置スペースＳＰＣは、３つの方向において、室外ユニット１００を取り囲むので、設置スペースＳＰＣ内での空気の流動は生じにくい。このことは、室外ユニット１００から万が一可燃性冷媒が漏れ出るならば、可燃性冷媒が、設置スペースＳＰＣ内に留まりやすいことを意味する。
【００１８】
室外ユニット１００は、ケーシング２００と、右方突出体３１０と、左方突出体３２０と、後方突出体３３０と、を備える。ケーシング２００内には、空気調和機を構成する様々な機器（例えば、コンプレッサ、熱交換器、送風機や制御機器）が収容される。本実施形態の原理は、ケーシング２００の特定の内部構造に限定されない。
【００１９】
ケーシング２００は、外周板２１０と、天板２４０と、底板（図示せず）と、を含み、箱形に形成されている。天板２４０は、ケーシング２００の上面を形成する。底板は、天板２４０の下方に配置され、コンプレッサ、熱交換器や送風機を支持する。外周板２１０は、天板２４０と底板との間で立設される。
【００２０】
外周板２１０は、右側面２１１と、左側面２１２と、後面２１３と、前面２１４と、を含む。後面２１３は、前面２１４に対向して立設される。後面２１３は、後方壁ＢＷＬに相対する。右側面２１１は、前面２１４と後面２１３との間で立設される。右側面２１１は、右方を向き、右方壁ＲＷＬに相対する。左側面２１２は、右側面２１１の左側において、前面２１４と後面２１３との間で立設される。左側面２１２は、左方を向き、左方壁ＬＷＬに相対する。左側面２１２は、右側面２１１に対して略平行である。前面２１４又は天板２４０には、空気が吹き出される吹出口が形成される。右側面２１１及び左側面２１２のうち一方並びに後面２１３は、ケーシング２００内へ外気を吸い込み可能な吸込口として機能する。
【００２１】
右方突出体３１０は、右側面２１１から右方に突出する。したがって、設置スペースＳＰＣに室外ユニット１００を据え付ける作業者は、右側面２１１が、少なくとも右方突出体３１０の突出量分だけ右方壁ＲＷＬから離れるようにケーシング２００を配置しなければならない。この結果、右側面２１１と右方壁ＲＷＬとの間で十分に広い空間が確保される。
【００２２】
右方突出体３１０は、ケーシング２００から取り外し可能であってもよい。代替的に、右方突出体３１０は、ケーシング２００と一体的に形成されてもよい。本実施形態の原理は、右方突出体３１０とケーシング２００との間の特定の接続構造に限定されない。
【００２３】
右方突出体３１０は、棒状の部材であってもよい。代替的に、右方突出体３１０は、複数の棒状部材から構築された枠構造を有してもよい。本実施形態の原理は、右方突出体３１０の特定の構造に限定されない。
【００２４】
右方突出体３１０は、右側面２１１に直接的に接続されてもよい。代替的に、右方突出体３１０は、他の部材（たとえば、天板２４０）を介して、ケーシング２００に接続され、右側面２１１から突出してもよい。本実施形態の原理は、ケーシング２００への右方突出体３１０の特定の接続位置に限定されない。
【００２５】
左方突出体３２０は、左側面２１２から左方に突出する。したがって、設置スペースＳＰＣに室外ユニット１００を据え付ける作業者は、左側面２１２が、少なくとも左方突出体３２０の突出量分だけ左方壁ＬＷＬから離れるようにケーシング２００を配置しなければならない。この結果、左側面２１２と左方壁ＬＷＬとの間で十分に広い空間が確保される。
【００２６】
左方突出体３２０は、ケーシング２００から取り外し可能であってもよい。代替的に、左方突出体３２０は、ケーシング２００と一体的に形成されてもよい。本実施形態の原理は、左方突出体３２０とケーシング２００との間の特定の接続構造に限定されない。
【００２７】
左方突出体３２０は、棒状の部材であってもよい。代替的に、左方突出体３２０は、複数の棒状部材から構築された枠構造を有してもよい。本実施形態の原理は、左方突出体３２０の特定の構造に限定されない。
【００２８】
左方突出体３２０は、左側面２１２に直接的に接続されてもよい。代替的に、左方突出体３２０は、他の部材（たとえば、天板２４０）を介して、ケーシング２００に接続され、左側面２１２から突出してもよい。本実施形態の原理は、ケーシング２００への左方突出体３２０の特定の接続位置に限定されない。
【００２９】
後方突出体３３０は、後面２１３から後方に突出する。したがって、設置スペースＳＰＣに室外ユニット１００を据え付ける作業者は、後面２１３が、少なくとも後方突出体３３０の突出量分だけ後方壁ＢＷＬから離れるようにケーシング２００を配置しなければならない。この結果、後面２１３と後方壁ＢＷＬとの間で十分に広い空間が確保される。後方突出体３００は、後面２１３からの空気の取り込みを邪魔しないように配置される。たとえば、後方突出体３００は、底板に取り付けられ、後面２１３から後方に突出してもよい。
【００３０】
後方突出体３３０は、ケーシング２００から取り外し可能であってもよい。代替的に、後方突出体３３０は、ケーシング２００と一体的に形成されてもよい。本実施形態の原理は、後方突出体３３０とケーシング２００との間の特定の接続構造に限定されない。
【００３１】
後方突出体３３０は、棒状の部材であってもよい。代替的に、後方突出体３３０は、複数の棒状部材から構築された枠構造を有してもよい。本実施形態の原理は、後方突出体３３０の特定の構造に限定されない。
【００３２】
後方突出体３３０は、後面２１３に直接的に接続されてもよい。代替的に、後方突出体３３０は、他の部材（たとえば、天板２４０）を介して、ケーシング２００に接続され、後面２１３から突出してもよい。本実施形態の原理は、ケーシング２００への後方突出体３３０の特定の接続位置に限定されない。
【００３３】
右方突出体３１０、左方突出体３２０及び後方突出体３３０は、少なくとも、室外ユニット１００が据え付けられたときに取り付けられていればよい。したがって、室外ユニット１００が据え付けられる前は、右方突出体３１０、左方突出体３２０及び後方突出体３３０のうち少なくとも１つは、ケーシング２００から分離されていてもよい。あるいは、室外ユニット１００が据え付けられた後、移設されるときに、右方突出体３１０、左方突出体３２０及び後方突出体３３０のうち少なくとも１つは、ケーシング２００から取り外されてもよい。その後、室外ユニット１００が移設先で据え付けられるときに、右方突出体３１０、左方突出体３２０及び後方突出体３３０は、ケーシング２００に取り付けられてもよい。
【００３４】
右方突出体３１０、左方突出体３２０及び後方突出体３３０の突出量は、空気調和機に用いられる冷媒充填量に応じて、適切に設定されてもよい。冷媒充填量が多いならば、右方突出体３１０、左方突出体３２０及び後方突出体３３０の突出量は、大きな値に設定される。冷媒充填量が少ないならば、右方突出体３１０、左方突出体３２０及び後方突出体３３０の突出量は、小さな値に設定されてもよい。たとえば、右方突出体３１０、左方突出体３２０及び後方突出体３３０の突出量は、５０ｃｍ以上の値に設定される。
【００３５】
本実施形態において、突出体は、右方突出体３１０、左方突出体３２０及び後方突出体３３０によって例示される。しかしながら、突出体は、右方突出体３１０、左方突出体３２０及び後方突出体３３０に限定されない。突出体は、右側面２１１、左側面２１２、後面２１３及び前面２１４のうち少なくとも３つの面から外方に突出していればよい。
【００３６】
＜第２実施形態＞
第１実施形態に関連して説明された室外ユニットは、３つの突出体を用いて、室外ユニットを取り囲む物体とケーシングとの間で十分に広い空間を確保する。代替的に、室外ユニットは、３を超える数の突出体を用いて、広い設置スペースを確保してもよい。第２実施形態において、４つの突出体を備える室外ユニットが説明される。
【００３７】
図２は、第２実施形態の空気調和機用の室外ユニット１００Ａの概念的な平面図である。図２を参照して室外ユニット１００Ａが説明される。第１実施形態と第２実施形態との間で同一の機能を有する要素に対して、同一の符号が付されている。第１実施形態の説明は、同一の符号が付された要素に援用される。
【００３８】
図２は、右方壁ＲＷＬと左方壁ＬＷＬと後方壁ＢＷＬと前方壁ＦＷＬとによって囲まれた設置スペースＳＰＤを概略的に示す。室外ユニット１００Ａは、設置スペースＳＰＤ内で据え付けられている。右方壁ＲＷＬ、左方壁ＬＷＬ、後方壁ＢＷＬ及び前方壁ＦＷＬは、室外ユニット１００Ａを４つの方向において取り囲む半地下構造の設置スペースＳＰＤを形成する。半地下構造の設置スペースＳＰＤ内では、空気の流動は生じにくい。このことは、室外ユニット１００Ａから万が一可燃性冷媒が漏れ出るならば、可燃性冷媒が、設置スペースＳＰＤ内に留まりやすいことを意味する。
【００３９】
第１実施形態と同様に、室外ユニット１００Ａは、ケーシング２００と、右方突出体３１０と、左方突出体３２０と、後方突出体３３０と、を備える。第１実施形態の説明は、これらの要素に援用される。
【００４０】
室外ユニット１００Ａは、前方突出体３４０を更に備える。前方突出体３４０は、前面２１４から前方に突出する。したがって、設置スペースＳＰＤに室外ユニット１００Ａを据え付ける作業者は、前面２１４が、少なくとも前方突出体３４０の突出量分だけ前方壁ＦＷＬから離れるようにケーシング２００を配置しなければならない。この結果、前面２１４と前方壁ＦＷＬとの間で十分に広い空間が確保される。前面２１４に吹出口が形成されるならば、前方突出体３４０は、前面２１４からの空気の吹出を邪魔しないように配置される。たとえば、前方突出体３４０は、底板に取り付けられ、前面２１４から前方に突出してもよい。
【００４１】
前方突出体３４０は、ケーシング２００から取り外し可能であってもよい。代替的に、前方突出体３４０は、ケーシング２００と一体的に形成されてもよい。本実施形態の原理は、前方突出体３４０とケーシング２００との間の特定の接続構造に限定されない。
【００４２】
前方突出体３４０は、棒状の部材であってもよい。代替的に、前方突出体３４０は、複数の棒状部材から構築された枠構造を有してもよい。本実施形態の原理は、前方突出体３４０の特定の構造に限定されない。
【００４３】
前方突出体３４０は、前面２１４に直接的に接続されてもよい。代替的に、前方突出体３４０は、他の部材（たとえば、天板２４０）を介して、ケーシング２００に接続され、前面２１４から突出してもよい。本実施形態の原理は、ケーシング２００への前方突出体３４０の特定の接続位置に限定されない。
【００４４】
右方突出体３１０、左方突出体３２０、後方突出体３３０及び前方突出体３４０は、少なくとも、室外ユニット１００Ａが据え付けられたときに取り付けられていればよい。したがって、室外ユニット１００Ａが据え付けられる前は、右方突出体３１０、左方突出体３２０、後方突出体３３０及び前方突出体３４０のうち少なくとも１つは、ケーシング２００から分離されていてもよい。あるいは、室外ユニット１００Ａが据え付けられた後、移設されるときに、右方突出体３１０、左方突出体３２０、後方突出体３３０及び前方突出体３４０のうち少なくとも１つは、ケーシング２００から取り外されてもよい。その後、室外ユニット１００Ａが移設先で据え付けられるときに、右方突出体３１０、左方突出体３２０、後方突出体３３０及び前方突出体３４０は、ケーシング２００に取り付けられてもよい。
【００４５】
右方突出体３１０、左方突出体３２０、後方突出体３３０及び前方突出体３４０の突出量は、冷媒充填量に応じて、適切に設定されてもよい。冷媒充填量が多いならば、右方突出体３１０、左方突出体３２０、後方突出体３３０及び前方突出体３４０の突出量は、大きな値に設定される。冷媒充填量が少ないならば、右方突出体３１０、左方突出体３２０、後方突出体３３０及び前方突出体３４０の突出量は、小さな値に設定されてもよい。たとえば、右方突出体３１０、左方突出体３２０、後方突出体３３０及び前方突出体３４０の突出量は、５０ｃｍ以上の値に設定される。
【００４６】
本実施形態において、突出体は、右方突出体３１０、左方突出体３２０、後方突出体３３０及び前方突出体３４０によって例示される。
【００４７】
＜第３実施形態＞
設計者は、上述の実施形態に関連して説明された設計原理に基づいて、様々な室外ユニットを設計することができる。第３実施形態において、例示的な室外ユニットが説明される。
【００４８】
図３Ａ及び図３Ｂは、第３実施形態の空気調和機用の室外ユニット１００Ｂの概略的な斜視図である。図２乃至図３Ｂを参照して室外ユニット１００Ｂが説明される。
【００４９】
第１実施形態と同様に、室外ユニット１００Ｂは、ケーシング２００Ｂと、右突出枠３１０Ｂと、左突出枠３２０Ｂと、２つの後方延長脚３３１，３３２と、２つの前方延長脚３４１，３４２と、を備える。ケーシング２００Ｂは、図２を参照して説明されたケーシング２００に対応する。右突出枠３１０Ｂは、図２を参照して説明された右方突出体３１０に対応する。左突出枠３２０Ｂは、図２を参照して説明された左方突出体３２０に対応する。後方延長脚３３１，３３２は、図２を参照して説明された後方突出体３３０に対応する。前方延長脚３４１，３４２は、図２を参照して説明された前方突出体３４０に対応する。
【００５０】
ケーシング２００Ｂは、外周板２１０Ｂと、天板２４０Ａと、底板２５０と、右据付脚２６１と、左据付脚２６２と、を含む。底板２５０上には、コンプレッサや熱交換器が載置される。外周板２１０Ｂは、図２を参照して説明された外周板２１０に対応する。天板２４０Ａは、外周板２１０Ｂの上縁によって囲まれた略矩形状の空間を占める。底板２５０は、天板２４０Ａの下方で略水平に拡がる。右据付脚２６１及び左据付脚２６２は、底板２５０から下方に突出する。左据付脚２６２は、右据付脚２６１の左方に配置される。右据付脚２６１及び左据付脚２６２は、底板２５０の下面に固定される。底板２５０は、右据付脚２６１と左据付脚２６２とによって、地面から離間される。
【００５１】
外周板２１０Ｂは、右側面２１１Ｂと、左側面２１２Ｂと、後面２１３Ｂと、前面２１４Ｂと、を含む。右側面２１１Ｂは、図２を参照して説明された右側面２１１に対応する。したがって、図２に示される右側面２１１に関する説明は、右側面２１１Ｂに援用される。左側面２１２Ｂは、図２を参照して説明された左側面２１２に対応する。したがって、図２に示される左側面２１２に関する説明は、左側面２１２Ｂに援用される。後面２１３Ｂは、図２を参照して説明された後面２１３に対応する。したがって、図２に示される後面２１３に関する説明は、後面２１３Ｂに援用される。前面２１４Ｂは、図２を参照して説明された前面２１４に対応する。したがって、図２に示される前面２１４に関する説明は、前面２１４Ｂに援用される。
【００５２】
天板２４０Ａは、右縁２４１と、左縁２４２と、後縁２４３と、前縁２４４と、を含む。右縁２４１は、右側面２１１Ｂの上縁に一致する。左縁２４２は、左側面２１２Ｂの上縁に一致する。後縁２４３は、後面２１３Ｂの上縁に一致する。前縁２４４は、前面２１４Ｂの上縁に一致する。
【００５３】
底板２５０は、右縁２５１と、左縁２５２と、後縁２５３と、前縁２５４と、を含む。右縁２５１は、右側面２１１Ｂの下縁に一致する。左縁２５２は、左側面２１２Ｂの下縁に一致する。後縁２５３は、後面２１３Ｂの下縁に一致する。前縁２５４は、前面２１４Ｂの下縁に一致する。
【００５４】
右側面２１１Ｂは、天板２４０Ａ及び底板２５０の右縁２４１，２５１の間で略垂直に立設される。右側面２１１Ｂは、右方を向く。
【００５５】
左側面２１２Ｂは、天板２４０Ａ及び底板２５０の左縁２４２，２５２の間で略垂直に立設される。右側面２１１Ｂとは反対に、左側面２１２Ｂは、左方を向く。
【００５６】
後面２１３Ｂは、天板２４０Ａ及び底板２５０の後縁２４３，２５３の間で略垂直に立設される。後面２１３Ｂは、後方を向く。
【００５７】
前面２１４Ｂは、天板２４０Ａ及び底板２５０の前縁２４４，２５４の間で略垂直に立設される。後面２１３Ｂとは反対に、前面２１４Ｂは、前方を向く。前面２１４Ｂには、上吹出口２１５及び下吹出口２１６が形成される。上吹出口２１５及び下吹出口２１６には、吹出グリルが被せられる。上吹出口２１５及び下吹出口２１６の右側の板は、メンテナンス時にケーシング２００から分離可能である。
【００５８】
右突出枠３１０Ｂは、略直方体形状の枠体である。右突出枠３１０Ｂは、第１上梁３１１と、第２上梁３１２と、第３上梁３１３と、第１下梁３１４と、第２下梁３１５と、第３下梁３１６と、第１支柱３１７と、第２支柱３１８と、を含む。
【００５９】
第１上梁３１１は、左接続端３５１と、右接続端３５２と、を含む。左接続端３５１は、天板２４０Ａに取り付けられる。第１上梁３１１は、左接続端３５１から、天板２４０Ａの後縁２４３の延長線に沿って、右方に延びる。したがって、第１上梁３１１は、右側面２１１Ｂから右方に突出する。第１上梁３１１の右接続端３５２は、第１支柱３１７と第３上梁３１３とに接続される。
【００６０】
第２上梁３１２は、左接続端３５３と、右接続端３５４と、を含む。左接続端３５３は、天板２４０Ａに取り付けられる。第２上梁３１２は、左接続端３５３から、天板２４０Ａの前縁２４４の延長線に沿って、右方に延びる。したがって、第２上梁３１２は、右側面２１１Ｂから右方に突出する。第２上梁３１２の右接続端３５４は、第２支柱３１８と第３上梁３１３とに接続される。
【００６１】
第３上梁３１３は、後接続端３５５と、前接続端３５６と、を含む。第３上梁３１３の後接続端３５５は、第１上梁３１１の右接続端３５２上に重ねられる。第３上梁３１３の後接続端３５５は、第１上梁３１１の右接続端３５２に接続される。第３上梁３１３の前接続端３５６は、第２上梁３１２の右接続端３５４上に重ねられる。第３上梁３１３の前接続端３５６は、第２上梁３１２の右接続端３５４に接続される。
【００６２】
第１下梁３１４は、水平アーム３６１と、垂直取付部３６２と、を含む。水平アーム３６１は、底板２５０の後縁２５３の延長線に沿って右方に延びる。したがって、第１下梁３１４は、右側面２１１Ｂから右方に突出する。垂直取付部３６２は、水平アーム３６１の左端に形成される。垂直取付部３６２は、水平アーム３６１に対して略直角に折れ曲がる。垂直取付部３６２は、右側面２１１Ｂに取り付けられる。水平アーム３６１は、右接続端３６３を含む。右接続端３６３は、第３下梁３１６と第１支柱３１７とに接続される。
【００６３】
第２下梁３１５は、水平アーム３６４と、垂直取付部３６５と、を含む。水平アーム３６４は、底板２５０の前縁２５４の延長線に沿って右方に延びる。したがって、第２下梁３１５は、右側面２１１Ｂから右方に突出する。垂直取付部３６５は、水平アーム３６４の左端に形成される。垂直取付部３６５は、水平アーム３６４に対して略直角に折れ曲がる。垂直取付部３６５は、右側面２１１Ｂに取り付けられる。水平アーム３６４は、右接続端３６６を含む。右接続端３６６は、第３下梁３１６と第２支柱３１８とに接続される。
【００６４】
第３下梁３１６は、後接続端３６７と、前接続端３６８と、を含む。第３下梁３１６の後接続端３６７は、第１下梁３１４の右接続端３６３上に重ねられる。第３下梁３１６の後接続端３６７は、第１下梁３１４の右接続端３６３に接続される。第３下梁３１６の前接続端３６８は、第２下梁３１５の右接続端３６６上に重ねられる。第３下梁３１６の前接続端３６８は、第２下梁３１５の右接続端３６６に接続される。
【００６５】
第１支柱３１７は、垂直アーム３７１と、上接続端３７２と、下接続端３７３と、を含む。垂直アーム３７１は、略垂直に延びる。上接続端３７２は、垂直アーム３７１の上端に形成される。上接続端３７２は、垂直アーム３７１に対して略直角に屈曲する。下接続端３７３は、垂直アーム３７１の下端に形成される。下接続端３７３は、垂直アーム３７１に対して略直角に屈曲する。第１支柱３１７の上接続端３７２は、第１上梁３１１の右接続端３５２と、第３上梁３１３の後接続端３５５と、に接続される。第１支柱３１７の下接続端３７３は、第１下梁３１４の右接続端３６３と、第３下梁３１６の後接続端３６７と、に接続される。
【００６６】
第２支柱３１８は、垂直アーム３７４と、上接続端３７５と、下接続端３７６と、を含む。垂直アーム３７４は、略垂直に延びる。上接続端３７５は、垂直アーム３７４の上端に形成される。上接続端３７５は、垂直アーム３７４に対して略直角に屈曲する。下接続端３７６は、垂直アーム３７４の下端に形成される。下接続端３７６は、垂直アーム３７４に対して略直角に屈曲する。第２支柱３１８の上接続端３７２は、第２上梁３１２の右接続端３５４と、第３上梁３１３の前接続端３５６と、に接続される。第２支柱３１８の下接続端３７６は、第２下梁３１５の右接続端３６６と、第３下梁３１６の前接続端３６８と、に接続される。
【００６７】
左突出枠３２０Ｂは、右突出枠３１０Ｂと左右対称の構造を有する。したがって、右突出枠３１０Ｂの構造の説明は、左突出枠に援用される。
【００６８】
右据付脚２６１は、後端部２６３と前端部２６４とを含む。後端部２６３は、底板２５０の後縁２５３の近くに位置する。前端部２６４は、底板２５０の前縁２５４の近くに位置する。右据付脚２６１の前端部２６４は、図３Ａに示される。右据付脚２６１の後端部２６３は、図３Ｂに示される。
【００６９】
後方延長脚３３１は、右据付脚２６１の後端部２６３に連結され、後方に延びる。この結果、後方延長脚３３１は、後面２１３Ｂから後方に突出する。前方延長脚３４１は、右据付脚２６１の前端部２６４に連結され、前方に延びる。この結果、前方延長脚３４１は、前面２１４Ｂから前方に突出する。
【００７０】
左据付脚２６２は、後端部２６５と前端部２６６とを含む。後端部２６５は、底板２５０の後縁２５３の近くに位置する。前端部２６６は、底板２５０の前縁２５４の近くに位置する。左据付脚２６２の前端部２６６は、図３Ａに示される。左据付脚２６２の後端部２６５は、図３Ｂに示される。
【００７１】
後方延長脚３３２は、左据付脚２６２の後端部２６５に連結され、後方に延びる。この結果、後方延長脚３３２は、後面２１３Ｂから後方に突出する。前方延長脚３４２は、左据付脚２６２の前端部２６６に連結され、前方に延びる。この結果、前方延長脚３４２は、前面２１４Ｂから前方に突出する。
【００７２】
図３Ａ及び図３Ｂは、仮想水平面ＰＨＰを示す。仮想水平面ＰＨＰは、ケーシング２００Ｂの高さ方向における中心位置を通過する。後方延長脚３３１，３３２及び前方延長脚３４１，３４２は、仮想水平面ＰＨＰより下方でケーシング２００Ｂから外方（後方及び前方）へ突出する。可燃性冷媒は、空気より重いので、後方延長脚３３１，３３２及び前方延長脚３４１，３４２のように仮想水平面ＰＨＰよりも下方でのみ突出する突出体であっても、室外ユニット１００Ｂから漏れ出た可燃性冷媒の高濃度での滞留を効果的に防止することができる。
【００７３】
図３Ａに示される如く、前面２１４Ｂには、上吹出口２１５及び下吹出口２１６が形成されている。ケーシング２００Ｂ内に配置された送風機は、吸込口として機能する後面２１３Ｂ並びに右側面２１１Ｂ及び左側面２１２Ｂのうち一方から空気を取り込み、上吹出口２１５及び下吹出口２１６から空気を吹き出す。下吹出口２１６は、上吹出口２１５の下方に形成される。前方延長脚３４１，３４２は、下吹出口２１６の下方に配設され、且つ、下吹出口２１６から吹き出される空気の流れと同じく前方に延出する。したがって、前方延長脚３４１，３４２は、室外ユニット１００Ｂの熱交換機能にほとんど影響しない。本実施形態において、ケーシング２００には、２つの吹出口（上吹出口２１５及び下吹出口２１６）が形成される。代替的に、本実施形態の原理は、１つの吹出口から空気が吹き出されるケーシングに適用されてもよい。本実施形態の原理は、ケーシング２００からの特定の空気の吹出構造に限定されない。
【００７４】
図４は、第２上梁３１２、第３上梁３１３及び第２支柱３１８の間の接続構造の概略的な斜視図である。図３Ａ及び図４を参照して、第２上梁３１２、第３上梁３１３及び第２支柱３１８の間の接続構造が説明される。
【００７５】
図４に示される如く、第２上梁３１２の右接続端３５４は、第２支柱３１８の上接続端３７５に重ねられる。第３上梁３１３の前接続端３５６は、第２上梁３１２の右接続端３５４に重ねられる。第２支柱３１８の上接続端３７５、第２上梁３１２の右接続端３５４及び第３上梁３１３の前接続端３５６は、ネジＦＸＴによって挿通される。この結果、第２支柱３１８の上接続端３７５、第２上梁３１２の右接続端３５４及び第３上梁３１３の前接続端３５６は、連結される。ネジＦＸＴが取り外されると、第２支柱３１８の上接続端３７５、第２上梁３１２の右接続端３５４及び第３上梁３１３の前接続端３５６の連結は解除される。
【００７６】
図４に示される接続構造と同様に、第１上梁３１１の右接続端３５２、第３上梁３１３の後接続端３５５及び第１支柱３１７の上接続端３７２は、ネジによって互いに結合されてもよい。第１上梁３１１の左接続端３５１は、天板２４０Ａにネジによって固定されてもよい。第２上梁３１２の左接続端３５３は、天板２４０Ａにネジによって固定されてもよい。
【００７７】
図４に示される接続構造と同様に、第１下梁３１４の右接続端３６３、第３下梁３１６の後接続端３６７及び第１支柱３１７の下接続端３７３は、ネジによって互いに結合されてもよい。第２下梁３１５の右接続端３６６、第３下梁３１６の前接続端３６８及び第２支柱３１８の下接続端３７６は、ネジによって互いに結合されてもよい。第１下梁３１４の垂直取付部３６２は、右側面２１１Ｂにネジによって固定されてもよい。第２下梁３１５の垂直取付部３６５は、右側面２１１Ｂにネジによって固定されてもよい。
【００７８】
上述の如く、ネジを用いた接続構造によって右突出枠３１０Ｂが形成されるならば、右突出枠３１０Ｂは、ケーシング２００Ｂから容易に分離される。加えて、右突出枠３１０Ｂは、容易に分解される。したがって、作業者は、室外ユニット１００Ｂの搬送や据付を容易に行うことができる。
【００７９】
右突出枠３１０Ｂに適用された接続構造は、左突出枠３２０Ｂに適用されてもよい。この場合、左突出枠３２０Ｂは、ケーシング２００Ｂから容易に分離される。加えて、左突出枠３２０Ｂは、容易に分解される。したがって、作業者は、室外ユニット１００Ｂの搬送や据付を容易に行うことができる。
【００８０】
図５は、右据付脚２６１の前端部２６４と前方延長脚３４１との間の接続構造の概略的な斜視図である。図３Ａ、図３Ｂ及び図５を参照して、右据付脚２６１の前端部２６４と前方延長脚３４１との間の接続構造が説明される。
【００８１】
図５に示される如く、前方延長脚３４１は、右据付脚２６１の前端部２６４上に重ねられる。前方延長脚３４１は、ネジＦＸＵによって、右据付脚２６１の前端部２６４に連結される。この結果、右据付脚２６１は前方に延長される。ネジＦＸＵが取り外されると、前方延長脚３４１は、右据付脚２６１の前端部２６４から分離可能となる。
【００８２】
図５に示される接続構造と同様に、前方延長脚３４２は、ネジによって、左据付脚２６２の前端部２６６に結合されてもよい。後方延長脚３３１は、ネジによって、右据付脚２６１の後端部２６３に結合されてもよい。後方延長脚３３２は、ネジによって、左据付脚２６２の後端部２６５に結合されてもよい。
【００８３】
上述の如く、ネジを用いた接続構造によって、後方延長脚３３１，３３２及び前方延長脚３４１，３４２がケーシング２００Ｂに取り付けられるならば、後方延長脚３３１，３３２及び前方延長脚３４１，３４２は、ケーシング２００Ｂから容易に分離される。したがって、作業者は、室外ユニット１００Ｂの搬送や据付を容易に行うことができる。
【００８４】
図６は、右方壁ＲＷＬと左方壁ＬＷＬと後方壁ＢＷＬとによって囲まれた設置スペースＳＰＣ内に配置された室外ユニット１００Ｂの概略的な斜視図である。図３Ｂ及び図６を参照して、室外ユニット１００Ｂが説明される。
【００８５】
室外ユニット１００Ｂが、設置スペースＳＰＣ内に配置されると、右側面２１１Ｂは、右方壁ＲＷＬに相対する。左側面２１２Ｂは、左方壁ＬＷＬに相対する。後面２１３Ｂは、後方壁ＢＷＬに相対する。
【００８６】
右突出枠３１０Ｂは、右側面２１１Ｂから右方へ突出するので、室外ユニット１００Ｂを設置スペースＳＰＣ内に据え付ける作業者は、ケーシング２００Ｂの右側面２１１Ｂが、少なくとも右突出枠３１０Ｂの突出量分だけ、右方壁ＲＷＬから離れるように、ケーシング２００Ｂを配置しなければならない。したがって、ケーシング２００Ｂの右側面２１１Ｂと右方壁ＲＷＬとの間に、十分に広い空間が確保される。
【００８７】
左突出枠３２０Ｂは、左側面２１２Ｂから左方へ突出するので、室外ユニット１００Ｂを設置スペースＳＰＣ内に据え付ける作業者は、ケーシング２００Ｂの左側面２１２Ｂが、少なくとも左突出枠３２０Ｂの突出量分だけ、左方壁ＬＷＬから離れるように、ケーシング２００Ｂを配置しなければならない。したがって、ケーシング２００Ｂの左側面２１２Ｂと左方壁ＬＷＬとの間に、十分に広い空間が確保される。
【００８８】
後方延長脚３３１，３３２は、後面２１３Ｂから後方へ突出するので、室外ユニット１００Ｂを設置スペースＳＰＣ内に据え付ける作業者は、ケーシング２００Ｂの後面２１３Ｂが、少なくとも後方延長脚３３１，３３２の突出量分だけ、後方壁ＢＷＬから離れるように、ケーシング２００Ｂを配置しなければならない。したがって、ケーシング２００Ｂの後面２１３Ｂと後方壁ＢＷＬとの間に、十分に広い空間が確保される。
【００８９】
上述の如く、互いに異なる３つの方向において、ケーシング２００Ｂの周囲に広い空間が確保されるので、ケーシング２００Ｂから可燃性冷媒が万が一漏出しても、可燃性冷媒は、設置スペースＳＰＣ内で高濃度になりにくい。したがって、可燃空間は、設置スペースＳＰＣに生じにくくなる。右突出枠３１０Ｂ、左突出枠３２０Ｂ、後方延長脚３３１，３３２及び前方延長脚３４１，３４２の突出量は、空気調和機に用いられる冷媒の充填量に応じて設定されてもよい。冷媒充填量が多いならば、右突出枠３１０Ｂ、左突出枠３２０Ｂ、後方延長脚３３１，３３２及び前方延長脚３４１，３４２の突出量は大きな値に設定される。冷媒充填量が少ないならば、右突出枠３１０Ｂ、左突出枠３２０Ｂ、後方延長脚３３１，３３２及び前方延長脚３４１，３４２の突出量は小さな値に設定される。たとえば、右突出枠３１０Ｂ、左突出枠３２０Ｂ、後方延長脚３３１，３３２及び前方延長脚３４１，３４２の突出量は、５０ｃｍ以上の値に設定されてもよい。
【００９０】
＜第４実施形態＞
可燃性冷媒は、空気より重いので、室外ユニットから漏れ出た可燃性冷媒は、下方の空間において高濃度になりやすい。一方、可燃性冷媒は、上方の空間においては、下方の空間よりも低い濃度になりやすいので、室外ユニットを設計する設計者は、上方の空間よりも下方の空間において大きく突出する突出体を形成してもよい。第４実施形態において、下方の空間において大きく突出する突出体を有する例示的な室外ユニットが説明される。
【００９１】
図７Ａ及び図７Ｂは、第４実施形態の空気調和機用の室外ユニット１００Ｃの概略的な斜視図である。図２、図７Ａ及び図７Ｂを参照して室外ユニット１００Ｃが説明される。第３実施形態と第４実施形態との間で同一の機能を有する要素に対して、同一の符号が付されている。第３実施形態の説明は、同一の符号が付された要素に援用される。
【００９２】
第３実施形態と同様に、室外ユニット１００Ｃは、ケーシング２００Ｂと、２つの後方延長脚３３１，３３２と、２つの前方延長脚３４１，３４２と、を備える。第３実施形態の説明は、これらの要素に援用される。
【００９３】
室外ユニット１００Ｃは、右突出枠３１０Ｃと、左突出枠３２０Ｃと、を更に備える。右突出枠３１０Ｃは、図２を参照して説明された右方突出体３１０に対応する。左突出枠３２０Ｃは、図２を参照して説明された左方突出体３２０に対応する。
【００９４】
第３実施形態と同様に、右突出枠３１０Ｃは、第１下梁３１４と、第２下梁３１５と、第３下梁３１６と、を含む。第３実施形態の説明は、これらの要素に援用される。
【００９５】
右突出枠３１０Ｃは、第１傾斜柱３１７Ｃと、第２傾斜柱３１８Ｃと、を更に含む。第１傾斜柱３１７Ｃは、傾斜アーム３７１Ｃと、上接続端３７２Ｃと、下接続端３７３Ｃと、を含む。上接続端３７２Ｃは、傾斜アーム３７１Ｃの上端に形成される。上接続端３７２Ｃは、ケーシング２００Ｂの右側面２１１Ｂに接続される。下接続端３７３Ｃは、傾斜アーム３７１Ｃの下端に形成される。第１傾斜柱３１７Ｃの下接続端３７３Ｃは、第１下梁３１４の右接続端３６３と、第３下梁３１６の後接続端３６７と、に接続される。第１傾斜柱３１７Ｃは、下接続端３７３Ｃから上接続端３７２Ｃに向けて、右側面２１１Ｂに接近するように傾斜する。したがって、右突出枠３１０Ｃの突出量は、上方に向けて徐々に低減される。
【００９６】
第２傾斜柱３１８Ｃは、傾斜アーム３７４Ｃと、上接続端３７５Ｃと、下接続端３７６Ｃと、を含む。上接続端３７５Ｃは、傾斜アーム３７４Ｃの上端に形成される。上接続端３７５Ｃは、ケーシング２００Ｂの右側面２１１Ｂに接続される。下接続端３７６Ｃは、傾斜アーム３７４Ｃの下端に形成される。第２傾斜柱３１８Ｃの下接続端３７６Ｃは、第２下梁３１５の右接続端３６６と、第３下梁３１６の前接続端３６８と、に接続される。第２傾斜柱３１８Ｃは、下接続端３７６Ｃから上接続端３７５Ｃに向けて、右側面２１１Ｂに接近するように傾斜する。したがって、右突出枠３１０Ｃの突出量は、上方に向けて徐々に低減される。
【００９７】
左突出枠３２０Ｃは、右突出枠３１０Ｃと左右対称の構造を有する。したがって、右突出枠３１０Ｂの構造の説明は、左突出枠に援用される。
【００９８】
第３実施形態と同様に、右突出枠３１０Ｃ及び左突出枠３２０Ｃは、ネジを用いて組み立てられてもよい。この場合、右突出枠３１０Ｃ及び左突出枠３２０Ｃは、ケーシング２００Ｂから容易に分離される。加えて、右突出枠３１０Ｃ及び左突出枠３２０Ｃは、容易に分解される。
【００９９】
上述の様々な実施形態の原理は、様々な室外ユニットに適用可能である。たとえば、上述の実施形態の原理は、上向きに空気を吹き出す吹出口を有する室外ユニットにも同様に適用可能である。
【産業上の利用可能性】
【０１００】
上述の実施形態の原理は、空気調和機の施工に好適に利用される。
【符号の説明】
【０１０１】
１００，１００Ａ，１００Ｂ，１００Ｃ・・・・・・・・・・室外ユニット
２００，２００Ｂ・・・・・・・・・・・・・・・・・・・・ケーシング
２１０，２１０Ｂ・・・・・・・・・・・・・・・・・・・・外周板
２１１，２１１Ｂ・・・・・・・・・・・・・・・・・・・・右側面
２１２，２１２Ｂ・・・・・・・・・・・・・・・・・・・・左側面
２１３，２１３Ｂ・・・・・・・・・・・・・・・・・・・・後面
２１４，２１４Ｂ・・・・・・・・・・・・・・・・・・・・前面
２４０，２４０Ａ・・・・・・・・・・・・・・・・・・・・天板
２５０・・・・・・・・・・・・・・・・・・・・・・・・・底板
３１０・・・・・・・・・・・・・・・・・・・・・・・・・右方突出体
３１０Ｂ，３１０Ｃ・・・・・・・・・・・・・・・・・・・右突出枠
３２０・・・・・・・・・・・・・・・・・・・・・・・・・左方突出体
３２０Ｂ，３２０Ｃ・・・・・・・・・・・・・・・・・・・左突出枠
３３０・・・・・・・・・・・・・・・・・・・・・・・・・後方突出体
３３１，３３２・・・・・・・・・・・・・・・・・・・・・後方延長脚
３４０・・・・・・・・・・・・・・・・・・・・・・・・・前方突出体
３４１，３４２・・・・・・・・・・・・・・・・・・・・・前方延長脚
【図１】
2016191518.tif 000003
【図２】
2016191518.tif 000004
【図３Ａ】
2016191518.tif 000005
【図３Ｂ】
2016191518.tif 000006
【図４】
2016191518.tif 000007
【図５】
2016191518.tif 000008
【図６】
2016191518.tif 000009
【図７Ａ】
2016191518.tif 000010
【図７Ｂ】
2016191518.tif 000011